(57)【要約】【課題】無線充電を行う定位入力システム及びその装置を提供する。【解決手段】デジタルボード１００が無線定位装置２１０に向けて周波数信号Ｓｆを発信し、センシング信号Ｓｓを受信する。整流回路２２０は、誘導コイル組２１０を介してデジタルボードの周波数信号を受信して電磁誘導により、第１誘導コイル及び第２誘導コイルに出力する。第１誘導コイルは、エア接続状態であり、第２誘導コイルは整流回路に接続され、センシング回路に電力を供給して第３誘導コイルからデジタルボードに向けてセンシング信号を発射する。【選択図】図２
0003182602.tif 000002
【実用新案登録請求の範囲】
【請求項１】
無線定位装置からのセンシング信号に基いて対応する座標位置を計算し、
周波数信号を発生する信号処理回路と、
該信号処理回路に電気的に接続して該周波数信号を発射する充電アンテナループと、
該信号処理回路に電気的に接続して該センシング信号を受信する磁性解除アンテナループと、
を具えるデジタルボードと、
第１誘導コイル及び第２誘導コイルを具え、
該第１誘導コイルは、上記周波数信号による電磁誘導により磁気結合信号を発生し、該第２誘導コイルは、該周波数信号及び該磁気結合信号による電磁誘導により電気エネルギーを出力する誘導コイル組と、
該誘導コイル組を介して該周波数信号及び該電気エネルギーを受ける整流回路と、
該整流回路に電気的に接続し、該整流回路が出力する電気エネルギーを受けて該センシング信号を出力するセンシング回路と、
該センシング回路に電気的に接続して該センシング信号を発射する第３誘導コイルと、
を具える無線定位装置と、
から構成される無線充電を行う定位入力システム。
【請求項２】
前記第１誘導コイル及び該第２誘導コイルは、並行設置され、且つ該第１誘導コイルは、エア接続される請求項１に記載の無線充電を行う定位入力システム。
【請求項３】
前記無線定位装置は、更に、エネルギー蓄積コンデンサを具え、該整流回路及び該センシング回路の間に接続されて該電気エネルギーを保存する請求項１に記載の無線充電を行う定位入力システム。
【請求項４】
前記無線定位装置は、無線定位ペン又は無線マウスである請求項１に記載の無線充電を行う定位入力システム。
【請求項５】
デジタルボードが発する周波数信号に基づいて無線充電を行う定位入力装置であって、該定位入力装置は、
第１誘導コイル及び第２誘導コイルを少なくとも具え、該第１誘導コイルは、該周波数信号による電磁誘導により磁気結合信号を発生し、該第２誘導コイルは、該周波数信号及び該磁気結合信号により電磁誘導による電気エネルギーを出力する誘導コイル組と、
該誘導コイル組を介して該周波数信号及び該電気エネルギーを受ける整流回路と、
該整流回路に電気的に接続して、該整流回路が出力する電気エネルギーを受けるセンシング回路と、
を具える無線充電を行う定位入力装置。
【請求項６】
更に、該センシング回路に電気接続する第３誘導コイルを具え、該第３誘導コイルは、センシング信号を前記デジタルボードに発射し、該デジタルボードが該センシング信号に基づいて該定位入力装置の該デジタルボード上に位置する座標位置を判断する請求項５に記載の無線充電を行う定位入力装置。
【請求項７】
更に、エネルギー蓄積コンデンサを該整流回路及び該センシング回路の間に接続して該電気エネルギーを保存する請求項５に記載の無線充電を行う定位入力装置。
【請求項８】
前記誘導コイル組の両端は第１コンデンサを接続し、該第３誘導コイルの両端は、第２コンデンサに接続する請求項５に記載の無線充電を行う定位入力装置。
【請求項９】
前記第１誘導コイル及び第２誘導コイルは、平行設置され、且つ該第１誘導コイルは、エア接続される請求項５に記載の無線充電を行う定位入力装置。
【請求項１０】
前記無線充電を行う定位入力装置は、無線定位ペン又は無線マウスである請求項５に記載の無線充電を行う定位入力装置。
【考案の詳細な説明】
【技術分野】
【０００１】
本考案は、無線充電を行う定位入力システム及びその装置に関し、特に、デジタルボードのセンシング範囲内で安定した定位入力を行うことができる定位入力システム及びその装置に関する。
【背景技術】
【０００２】
現在の市場におけるデジタル信号処理回路が形成されたデジタルボードは、無線定位部材に組み合わせて使用され、無線定位システムがデジタルボードに接触する時、無線定位部材は、電磁場を発生し、デジタルボード対して磁気結合によって無線定位部材の現在の座標位置を算出し、該座標位置をパソコンに伝送する。
【０００３】
現在の無線定位部材の動作に要する電源は、主に２種の方式で供給電源を取得する。１種は、一次電池の電源供給により、もう１種は、電磁共振の方式で供給電源を取得する。一次電池供給電源の方式を採用する場合、無線定位部材は、頻繁に電池を交換する必要があり、使用者にとって不便であり、環境保護に適合しない。従って、電磁共振方式が現在最適な供給電源方式となっている。
【先行技術文献】
【特許文献】
【０００４】
【特許文献１】特開２０１３−４０８５号公報
【考案の概要】
【考案が解決しようとする課題】
【０００５】
但し、現在の無線定位部材及びデジタルボードの電磁共振供給電源関連技術において、デジタルボードは、比較的大きな磁場を発射する必要があり、更に、無線定位部材がこれを受信して、一定エネルギー量を累積した後に発射し、デジタルボードが受信する。このような無線充電方式により発生する電力は、一定でないので、無線定位部材は、操作が中断する状況が発生することがある。
【課題を解決するための手段】
【０００６】
以上の問題に鑑み、本発明は、無線充電を行う定位入力システムを提供し、無線定位装置の動作電圧を向上し、無線定位装置に安定した動作電圧を提供する。
【０００７】
本発明が開示する無線充電を有する定位入力システムは、デジタルボード及び無線定位装置からなる。デジタルボードは、センシング信号に基づき、無線定位装置に対応する座標位置を算出する。デジタルボードは、信号処理回路と、充電アンテナループと、磁性解除アンテナループとを具える。信号処理回路は、周波数信号を発生する。充電アンテナループは、信号処理回路に電気的に接続し、充電アンテナループは、周波数信号を発射する。磁性解除アンテナループは、信号処理回路に電気的に接続し、磁性解除アンテナループは、センシング信号を受信する。無線定位装置は、誘導コイル組、整流回路、センシング回路及び第３誘導コイルを具える。
【０００８】
誘導コイルは、第１誘導コイル及び第２誘導コイルを少なくとも有する。整流回路は、誘導コイル組を介して周波数信号を受信し、第１誘導コイルは、周波数信号を介して電磁線人具を行い、磁気結合信号を発生し、第２誘導コイルは、周波数信号及び磁気結合信号により電磁誘導を行い、電気エネルギーを出力する。センシング回路は、整流回路に電気的に接続し、センシング回路は、整流回路が出力する電気エネルギーを受け、センシング信号を出力する。第３誘導コイルは、センシング回路に電気接続し、第３誘導コイルは、センシング信号を発射する。
【０００９】
本考案が開示する無線充電を行う定位入力装置は、誘導コイル組、整流回路、センシング回路及び第３センシング回路からなる。誘導コイル組は、第１誘導コイル及び第２誘導コイルを少なくとも具える。第１誘導コイルは、周波数信号により電磁誘導を行い、磁気結合信号を発生し、第２誘導コイルは、周波数信号及び磁気結合信号により、電磁誘導を行い、電気エネルギーを出力する。整流回路は、誘導コイル組を介し、周波数信号を受信し、センシング回路を整流回路に電気的に接続し、センシング回路は、請求回路が出力する電気エネルギーを受けて、センシング信号を出力する。
第３誘導コイルは、センシング回路に電気接続し、第３誘導コイルは、センシング信号を発射する。
【考案の効果】
【００１０】
本考案の無線充電を有する定位入力システムは、無線定位装置に対し充電を行うことができる以外に、無線ポイント装置の電圧を増加することもでき、無線定位装置に安定した動作電圧を提供することができる。
【図面の簡単な説明】
【００１１】
【図１】本考案の外観説明図である。
【図２】本考案の構造説明図である。
【図３】本考案の構造説明図である。
【図４】本考案のもう１つの実施形態の構造説明図である。
【考案を実施するための形態】
【００１２】
本考案の特徴及び実施形態について、図面に合わせて好適な実施例を挙げ、以下に詳細に説明する。
【００１３】
図１及び図２を参照する。これらは本考案の外観及び構造説明図である。本考案の無線充電を行う定位入力システムは、無線定位ペン、無線マウス又はその他の無線ポイント装置に対して適用することができる。本考案は、デジタルボード１００及び無線定位装置２００を具える。無線定位装置２００がデジタルボード１００のセンシング範囲内で移動する時、無線定位装置２００は継続的にデジタルボード１００が発する周波数信号Ｓｆを受信する。無線定位装置２００は、周波数信号Ｓｆに基づき、電磁誘導を発生して無線定位装置２００の動作電力を発生し、デジタルボード１００に対応する定位位置の信号を発する。
【００１４】
デジタルボード１００は、信号処理回路１１０、充電アンテナループ１２０及び磁性解除アンテナループ１３０を具える。信号処理回路１１０は、充電アンテナループ１２０及び磁性解除アンテナループ１３０に電気接続する。信号処理回路１１０は、周波数信号Ｓｆを発生する。充填アンテナループ１２０は、周波数信号Ｓｆを発射する。磁性解除アンテナループ１３０は、センシング信号を受信する。
【００１５】
無線定位装置２００は、誘導コイル組２１０、整流回路２２０、センシング回路２３０及び第３誘導コイル２４０を具え、整流回路２２０は、それぞれ誘導コイル組２１０及びセンシング回路２３０にそれぞれ接続し、センシング回路２３０は、第３誘導コイル２４０の間に接続する。本考案の誘導コイル組２１０中には、第１誘導コイル２１１及び第２誘導コイル２１２を少なくとも具える。誘導コイル組２１０中の誘導コイルの数量は、無線定位装置２００が必要とする動作電力に応じて決定される。
本考案の誘導コイルは、金属導体外表層に若干の巻き数のコイルを巻き付けてなり、誘導コイルは、磁束の変化を検出して、誘導電圧を発生する。そのうち、１つのコイルの電流が変動を発生する時、それが発生する連鎖変化により他のコイルに連鎖し、該コイルに電圧を誘導させ、この種の現象は、磁気結合と称する（又は相互インダクタンス（instrument））。第１誘導コイル２１１の巻線巻き数及び第２誘導コイル２１２の巻線巻き数は、一定の比とする。
【００１６】
整流回路２２０は、誘導コイル組２１０を介し、周波数信号Ｓｆを受信する。誘導コイル組２１０の両端の間に第１コンデンサＣ１を接続する。本考案の整流回路２２０は、第２誘導コイル２１２に電気接続し、第１誘導コイル２１１は、エア接続状態を形成し、図２中の第１誘導コイル２１１及び第２誘導コイル２１２は、平行に配置されるが、実際には、無線定位装置２００の種類又は内蔵空間に応じて両者の配置を決定する。
【００１７】
無線定位装置２００は、デジタルボード１００のセンシング範囲内で移動し、第１誘導コイル２１１は、周波数信号Ｓｆ及び磁気結合信号Ｓｍｃにより電磁誘導を行い、電気エネルギーを出力する。
【００１８】
同時に、第２誘導コイル２１２は、周波数信号Ｓｆ及び磁気結合信号Ｓｍｃにより電磁誘導による電気エネルギーを出力する。第１誘導コイル２１１が発生する磁気結合信号Ｓｍｃにより、連帯して第２誘導コイル２１２の磁束を増加し、第２誘導コイル２１２の出力電力を向上する。
【００１９】
例えば、第１誘導コイル２１１の巻線巻き数及び第２誘導コイル２１２の巻線巻き数の割合は、ｍ：ｎであって、ここで、ｍ、ｎは、自然数である。本考案は、図３に示すとおり、複数の第１誘導コイル２１１を同時に設置することができる。
センシング回路２３０は、整流回路２２０に電気的に接続し、センシング回路２３０は、整流回路２２０が出力する電気エネルギーを受けて、センシング信号Ｓｓを出力する。第３誘導コイル２４０の両端の間に第２コンデンサＣ２を接続する。第３誘導コイル２４０は、センシング回路２３０に電気接続し、第３誘導コイル２４０は、センシング信号Ｓｓを発射する。
【００２０】
上記実施形態以外に、本発明は、下記の応用を行うことができる。図４は本考案の他の実施形態の構造説明図である。本実施形態において、無線定位装置２００の整流回路２２０及びセンシング回路２３０の間に更にエネルギー蓄積コンデンサＣｐを設置する。整流回路２２０が電力をセンシング回路２３０に出力する時、エネルギー蓄積コンデンサＣｐは、通過する一部の電力を保存することができる。無線定位装置２００がデジタルボード１００のセンシング範囲にない時、センシング回路２３０の動作電力を継続して提供することができる。
【００２１】
本発明の無線充電を有する定位入力システムは、無線定位装置に対し、充電を行うことができる以外に、無線ポイント装置の電圧を増強することもでき、無線定位装置に点綴した動作電圧を提供する。
【００２２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２３】
１００  デジタルボード
１１０  信号処理回路
１２０  充電アンテナループ
１３０  磁性解除アンテナループ
２００  無線定位装置
２１０  誘導コイル組
２１１  第１誘導コイル
２１２  第２誘導コイル
２２０  整流回路
２３０  センシング回路
２４０  第３誘導コイル
Ｃ１  第１コンデンサ
Ｃ２  第２コンデンサ
Ｃｐ  エネルギー蓄積コンデンサ
Ｓｆ  周波数信号
Ｓｓ  センシング信号
Ｓｍｃ  磁気結合信号
【図１】
0003182602.tif 000003
【図２】
0003182602.tif 000004
【図３】
0003182602.tif 000005
【図４】
0003182602.tif 000006